(57)【要約】      （修正有）【課題】光ファイバケーブルから光ドロップケーブルを分岐する光クロージャにおいて、多数本の光ドロップケーブルの導入作業や取り出し作業を効率良く行える技術を提供する。【解決手段】光クロージャは、開閉自在のクロージャスリーブ２０と軸方向端部の内側に設けられた端面板３０とを具備し、端面板３０には光ファイバケーブル導入用の主ケーブル導入孔３３に加えて、光ドロップケーブル導入用のドロップケーブル挿通溝３４が複数並列に形成されている。【選択図】図２
2008026388.tif 000002
【特許請求の範囲】
【請求項１】
光ファイバケーブル（１）と該光ファイバケーブルから分岐する光ドロップケーブル（２）との接続部（３）を収納する光クロージャであって、
開閉自在のクロージャスリーブ（２０）と、前記光ファイバケーブルの導入用の主ケーブル導入孔（３３）が形成され、前記クロージャスリーブの軸方向端部の内側に設けられる端面板（３０）とを具備し、
前記端面板の側面（３１ｄ）に、前記光ドロップケーブルの導入用のドロップケーブル挿通溝（３４）が、複数並列に形成されていることを特徴とする光クロージャ（１０）。
【請求項２】
前記端面板は、左右一対の端面板半体（３１、３２）からなる半割り構造であり、
前記ドロップケーブル挿通溝が、端面板半体における、端面板半体同士の合わせ面（３１ａ、３２ａ）とは反対側の側面に形成されていることを特徴とする請求項１記載の光クロージャ。
【請求項３】
前記端面板の左右両側あるいは片側の側部に、前記端面板の側面から窪む凹部である防滴凹部（３１ｅ）と、該防滴凹部を介して前記端面板の厚み方向両側に突設され、前記クロージャスリーブの内面が当接されるリブ状突壁（３９ａ、３９ｂ）と、前記防滴凹部内に突設された薄板状の遮蔽フィン（３１ｈ）とを有し、前記防滴凹部を介して両側の前記リブ状突壁のそれぞれに形成され前記ドロップケーブル挿通溝の両端として機能するスロット溝（３９ａ１、３９ｂ１）同士が、前記防滴凹部を介して連通され、
前記遮蔽フィンは、前記ドロップケーブル挿通溝の両端の前記スロット溝の間を遮るように設けられ、クロージャ外側から前記ドロップケーブル挿通溝に挿入した光ドロップケーブルによって押し倒されるようになっていることを特徴とする請求項１又は２記載の光クロージャ。
【請求項４】
前記防滴凹部が、前記端面板の側部に上下方向に延在する溝状に形成され、
該防滴凹部に沿って延在する前記防滴凹部の両側の前記リブ状突壁に、前記ドロップケーブル挿通溝が上下多段に形成され、
前記遮蔽フィンが、前記防滴凹部を介して対をなすドロップケーブル挿通溝毎に、上下多段に設けられていることを特徴とする請求項３記載の光クロージャ。
【請求項５】
さらに、前記ドロップケーブル挿通溝に通された光ドロップケーブルを係脱可能に係止して前記ドロップケーブル挿通溝からの脱落を防止するための係止片（３１ｉ、３１ｊ）が、前記防滴凹部内に突設されていることを特徴とする請求項３又は４記載の光クロージャ。
【請求項６】
前記端面板は、左右一対の端面板半体（３１、３２）からなる半割り構造であり、
前記ドロップケーブル挿通溝が、端面板半体における、端面板半体同士の合わせ面（３１ａ、３２ａ）とは反対側の側面に形成され、
前記ドロップケーブル挿通溝が形成された前記端面板半体は、前記リブ状突壁及び前記遮蔽フィンが一体に形成された合成樹脂製の一体成形品であることを特徴とする請求項３−５のいずれかに記載の光クロージャ。
【請求項７】
前記遮蔽フィンが、弾性変形可能な薄板であることを特徴とする請求項１−６のいずれかに記載の光クロージャ。
【請求項８】
前記端面板に、前記主ケーブル導入孔を開閉する蓋（３５）が設けられていることを特徴とする請求項１−７のいずれかに記載の光クロージャ。
【発明の詳細な説明】
【技術分野】
【０００１】
本発明は、光クロージャに係り、特に、光ファイバケーブルと該光ファイバケーブルから分岐する光ドロップケーブルとの接続部を収納する光クロージャに関する。
【背景技術】
【０００２】
光ファイバケーブル（主ケーブル）と該光ファイバケーブルから分岐する光ドロップケーブルとの接続点に設けられる光クロージャとしては、筒状のクロージャスリーブの軸方向端部を塞ぐように設けられる端面板として、光ファイバケーブルの導入孔の他に、光ドロップケーブルの導入孔として機能する小孔（貫通孔。以下、ドロップケーブル導入孔とも言う）を持つ端面板を採用した構造のものが知られている（例えば特許文献１、２参照）。
この構造の光クロージャでは、光ドロップケーブルを、ドロップケーブル導入孔に押し込むようにして導入できる。
また、特許文献３のように、光ファイバケーブル用の導入孔を形成するシール部材（第１のシール部材７）が組み込まれた端壁部５ｄを有する第１スリーブ５と、光ドロップケーブルの導入用のシール部材（第２のシール部材８）が組み込まれた端壁部６ｄを有する第２スリーブ６とからなる、二つ割り構造のクロージャスリーブを具備し、第１、第２スリーブ５、６を分離した状態で、第２スリーブ６の第１スリーブ５との合わせ面に露出する第２のシール部材８のスリット８ａに光ドロップケーブル３を押し込むようにして挟み込めるようにした構造の光クロージャも知られている。
【特許文献１】特開平６−２０１９５３号公報
【特許文献２】特開２００５−７０２９３号公報
【特許文献３】特開２００２−２４３９７８号公報
【発明の開示】
【発明が解決しようとする課題】
【０００３】
前述の特許文献１、２のような、光クロージャでは、光ドロップケーブルを、光ドロップケーブルの導入孔として機能する小孔（以下、ドロップケーブル導入孔）に突き刺すようにして端面板を貫通させて導入する。しかしながら、光ファイバケーブル（主ケーブル）の導入孔のシール用のパッキンが組み込まれる端面板は、厚さ寸法が大きく、ドロップケーブル導入孔が長いため、刺し通し作業の途中で光ドロップケーブルがドロップケーブル導入孔内で引っ掛かることもあり、作業に手間が掛かる場合がある。
また、端面板に、多数本の光ドロップケーブルの導入に対応するために、例えば、多数のドロップケーブル導入孔を縦横に配列させて高密度に形成する（但し、ドロップケーブル導入孔を避ける）と、光ドロップケーブルをドロップケーブル導入孔に刺し通す作業の作業性が低下する、といった問題が生じる。
特許文献３のような光クロージャは、第２スリーブ６の第２のシール部材８のスリット８ａに光ドロップケーブル３を押し込むようにして挟み込む構成であり、刺し通しに比べて、光ドロップケーブルの導入は容易ではない。また、構造上、多数本の光ドロップケーブルの導入に対応することは容易ではない。
また、特許文献１−３に係る技術は、いずれも、導入済みの光ドロップケーブルの取り出しに手間が掛かる構造である。
【０００４】
本発明は、前記課題に鑑みて、光ドロップケーブルの導入作業、導入済みの光ドロップケーブルの取り出し作業を簡単かつ確実に行うことができ、しかも、ドロップケーブル挿通溝を多数形成することで多数本の光ドロップケーブルの導入にも容易に対応できる、光クロージャの提供を目的としている。
【課題を解決するための手段】
【０００５】
上記課題を解決するために、本発明では以下の構成を提供する。
第１の発明は、光ファイバケーブルと該光ファイバケーブルから分岐する光ドロップケーブルとの接続部を収納する光クロージャであって、開閉自在のクロージャスリーブと、前記光ファイバケーブルの導入用の主ケーブル導入孔が形成され、前記クロージャスリーブの軸方向端部の内側に設けられる端面板とを具備し、前記端面板の側面に、前記光ドロップケーブルの導入用のドロップケーブル挿通溝が、複数並列に形成されていることを特徴とする光クロージャを提供する。
第２の発明は、前記端面板は、左右一対の端面板半体からなる半割り構造であり、前記ドロップケーブル挿通溝が、端面板半体における、端面板半体同士の合わせ面とは反対側の側面に形成されていることを特徴とする第１の発明の光クロージャを提供する。
第３の発明は、前記端面板の左右両側あるいは片側の側部に、前記端面板の側面から窪む凹部である防滴凹部と、該防滴凹部を介して前記端面板の厚み方向両側に突設され、前記クロージャスリーブの内面が当接されるリブ状突壁と、前記防滴凹部内に突設された薄板状の遮蔽フィンとを有し、前記防滴凹部を介して両側の前記リブ状突壁のそれぞれに形成され前記ドロップケーブル挿通溝の両端として機能するスロット溝同士が、前記防滴凹部を介して連通され、前記遮蔽フィンは、前記ドロップケーブル挿通溝の両端の前記スロット溝の間を遮るように設けられ、クロージャ外側から前記ドロップケーブル挿通溝に挿入した光ドロップケーブルによって押し倒されるようになっていることを特徴とする第１又は第２の発明の光クロージャを提供する。
第４の発明は、前記防滴凹部が、前記端面板の側部に上下方向に延在する溝状に形成され、該防滴凹部に沿って延在する前記防滴凹部の両側の前記リブ状突壁に、前記ドロップケーブル挿通溝が上下多段に形成され、前記遮蔽フィンが、前記防滴凹部を介して対をなすドロップケーブル挿通溝毎に、上下多段に設けられていることを特徴とする第３の発明の光クロージャを提供する。
第５の発明は、さらに、前記ドロップケーブル挿通溝に通された光ドロップケーブルを係脱可能に係止して前記ドロップケーブル挿通溝からの脱落を防止するための係止片が、前記防滴凹部内に突設されていることを特徴とする第３又は第４の発明の光クロージャを提供する。
第６の発明は、前記端面板は、左右一対の端面板半体からなる半割り構造であり、前記ドロップケーブル挿通溝が、端面板半体における、端面板半体同士の合わせ面とは反対側の側面に形成され、前記ドロップケーブル挿通溝が形成された前記端面板半体は、前記リブ状突壁及び前記遮蔽フィンが一体に形成された合成樹脂製の一体成形品であることを特徴とする第３〜５のいずれかの発明の光クロージャを提供する。
第７の発明は、前記遮蔽フィンが、弾性変形可能な薄板であることを特徴とする第１〜第６のいずれかの発明の光クロージャを提供する。
第８の発明は、前記端面板に、前記主ケーブル導入孔を開閉する蓋が設けられていることを特徴とする第１〜第７のいずれかの発明の光クロージャを提供する。
【発明の効果】
【０００６】
本発明によれば、端面板の側部のドロップケーブル挿通溝に、クロージャ外側から光ドロップケーブルを刺し通すようにして、導入できる。
クロージャスリーブを取り外した状態であれば露出させることができる端面板の側部のドロップケーブル挿通溝に光ドロップケーブルを挿通するので、挿通作業途中で光ドロップケーブルに引っ掛かりが生じても、引っ掛かりを簡単に解消することができ、光ドロップケーブルをドロップケーブル挿通溝に刺し通す作業を確実に行える。しかも、導入済みの光ドロップケーブルの取り出し作業も簡単に行えるといった利点がある。
また、端面板の側部にドロップケーブル挿通溝を形成する構成であれば、光ファイバケーブル（主ケーブル）の導入孔を避ける必要が無く、端面板の側部の広範囲にわたって、多数のドロップケーブル挿通溝を形成できるため、ドロップケーブル挿通溝の形成数、光ドロップケーブルの導入本数の増大を容易に実現できる。しかも、端面板の側部に、多数のドロップケーブル挿通溝を高密度に形成しても、ドロップケーブル導入孔を縦横に配列形成した場合に比べて、光ドロップケーブルの導入作業、導入済みの光ドロップケーブルの取り出し作業の作業性の確保は容易である。
【発明を実施するための最良の形態】
【０００７】
以下、本発明を実施した光クロージャについて、図面を参照して説明する。
図１は光クロージャ１０の内部構造を示す正面図、図２は図１の光クロージャ１０を軸方向両端の端面板３０の片方の側から見た側面図、図３は光クロージャ１０の軸方向端部付近の平断面図、図４は光クロージャ１０の二つ割り構造の端面板３０の片方の端面板半体３１の構造を示す図であって、（ａ）は平面図、（ｂ）は側面図、（ｃ）は正面図、図５（ａ）、（ｂ）は図４（ａ）−（ｃ）の端面板半体３１の構造を示す斜視図である。
なお、図１、図２、図４（ｂ）、（ｃ）、図５において、上側を上、下側を下として説明する。
【０００８】
図１、図２において、光クロージャ１０は、架空用の光クロージャであり、筒状のクロージャスリーブ２０と、このクロージャスリーブ２０の軸方向両端に設けられた端面板３０と、前記クロージャスリーブ２０及び該クロージャスリーブ２０の両端の端面板３０とによって構成される外装ケース４０内に収納される内部ユニット５０とを具備して構成されている。
【０００９】
図２に示すように、図示例の光クロージャ１０のクロージャスリーブ２０は、断面矩形の直筒状に形成されている。
このクロージャスリーブ２０は、具体的には、合成樹脂製の一体成形品であり、図１、図２に示すように、クロージャスリーブ２０の軸方向全長にわたって延在する細長の上板部２１と、該上板部２１の左右（図２左右）両側に、ヒンジ部２２として機能する薄肉部を介して連続して設けられた開閉自在の両側板部２３、２４とを具備して構成されている。
両側板部２３、２４は、ヒンジ部２２を中心として上板部２１に対して回転自在であり、この回転によって、個別に開閉操作できる。
【００１０】
この光クロージャ１０では、クロージャスリーブ２０は、上板部２１が上となる向きで設けられる。両側板部２３、２４を閉じ合わせると、断面矩形のクロージャスリーブ２０が組み立てられる。また、両側板部２３、２４を閉じ合わせて、クロージャスリーブ２０の軸方向両端内側に端面板３０を、クロージャスリーブ２０の中心軸線に垂直の向きで保持することで、外装ケース４０が組み立てられる。
図２中、符号２５は、両側板部２３、２４の下端同士を閉じ合わせる締結具である。両側板部２３、２４は、クロージャスリーブ２０の下部にて、締結具２５によって締結することで、しっかりと閉じ合わされる。締結具２５による締結を解除すると、両側板部２３、２４の開閉操作を自由に行えるようになる。
なお、図２では、一方の側板部２３の下部に設けられたレバー付き爪片２５ａと、他方の側板部２４の下部に突設され前記レバー付き爪片２５ａが係脱可能に係合される係止爪２５ｂとなる構造の締結具２５を例示したが、本発明に係る光クロージャにおいて締結具はこれに限定されず、様々な構成のものを採用できる。
【００１１】
内部ユニット５０は、クロージャスリーブ２０の軸方向に沿って延在する細長の連結部材５１と、この連結部材５１の両端に立設された縦支持材５１ａに設けられ、外装ケース４０内に引き込まれた光ファイバケーブル１を把持固定するケーブル把持部品５２と、前記連結部材５１の長手方向中央部に設けられた余長収納トレー５３と、外装ケース４０の上部にてクロージャスリーブ２０の軸方向に沿って延在配置され、連結部材５１の両端の縦支持材５１ａの上端同士を連結する上部連結部材５４とを具備して構成されている。
外装ケース４０の下部に配置された連結部材５１と、両端に立設された縦支持材５１ａと、上部連結部材５４とは、四角枠状の剛性フレームを構成している。
前記ケーブル把持部品５２は、端面板３０の主ケーブル導入孔３３（後述）から外装ケース４０内に導入された光ファイバケーブル１を把持固定する。
余長収納トレー５３は、光ファイバケーブル１から導出された光ファイバ１ａ（例えば、光ファイバ心線）と、端面板３０のドロップケーブル挿通溝３４から外装ケース４０内に導入された光ドロップケーブル２の端末に露出された光ファイバ２ａ（例えば、光ファイバ素線）との接続部３（例えば、融着接続部）を、光ファイバ１ａ、２ａの余長とともに収納するものである。
図１において、余長収納トレー５３は、連結部材５１上に複数多段に積層して設けられている。
【００１２】
次に、端面板３０を説明する。
図２に示すように、端面板３０は、左右一対の端面板半体３１、３２からなる半割り構造になっている。
この端面板３０は、断面矩形のクロージャスリーブ２０の軸方向両端部内側に収納される、矩形板状になっている。
クロージャスリーブ２０の両側板部２３、２４を閉じ合わせると、クロージャスリーブ２０の内周面が端面板３０の外周面に圧接して、防水性（ここでは、詳しくは防滴性）が確保される。
【００１３】
但し、図３に示すように、端面板３０の左右両側部、つまり、左右一対の端面板半体３１、３２における、互いに接合される合わせ面３１ａ、３２ａとは反対側の側部では、クロージャスリーブ２０の両側板部２３、２４の内面に突設された当接壁２３ａ、２４ａが、一対の端面板半体３１、３２の厚み方向両端に突設されたリブ状突壁３９ａ、３９ｂに当接される。
クロージャスリーブ２０の両側板部２３、２４の内面の当接壁２３ａ、２４ａは、クロージャスリーブ２０の軸方向に互いに離隔した２箇所に突設されている。当接壁２３ａ、２３ａ間、当接壁２４ａ、２４ａ間には、凹所２３ｂ、２４ｂが確保されている。
【００１４】
図２に示すように、端面板３０には、光クロージャ１０に引き込む光ファイバケーブル１の導入用の主ケーブル導入孔３３と、光ドロップケーブル２の導入用のドロップケーブル挿通溝３４とが形成されている。
【００１５】
主ケーブル導入孔３３は、該端面板３０を、該端面板３０の厚み方向に貫通する貫通孔である。この主ケーブル導入孔３３は、左右一対の端面板半体３１、３２を閉じ合わせた際の接合境界に形成されており、左右の端面板半体３１、３２の開閉により開閉できる。  図２等に例示した光クロージャ１０の端面板３０においては、前記主ケーブル導入孔３３は、各端面板半体３１、３２の合わせ面３１ａ、３２ａから窪む半円状の切欠３１ｃ、３２ｃ同士が合体して形成される断面円形の孔であり、端面板半体３１、３２の接合境界に沿った複数箇所（つまり、上下方向の複数箇所）に形成されている。
クロージャスリーブ２０の左右の側板部２３、２４を閉じ合わせて、左右一対の端面板半体３１、３２の間に光ファイバケーブル１を該光ファイバケーブル１の外周に配置したパッキン４とともに保持した端面板３０を左右両側から挟み込み、側板部２３、２４の下端同士を締結具２５で締結することで、パッキン４によって、主ケーブル導入孔３３の防水性（あるいは防滴性）が確保される。
【００１６】
また、図２において、符号３７は支持線挿通孔であり、端面板３０に形成されている。
この支持線挿通孔３７は、端面板３０の上部にて、主ケーブル導入孔３３よりも上側に形成されている。また、この支持線挿通孔３７は、主ケーブル導入孔３３と同様に、左右の端面板半体３１、３２の合わせ面３１ａ、３２ａから窪む凹部を一体化して形成されるものであり、左右の端面板半体３１、３２の開閉により開閉される。
この光クロージャ１０は、クロージャスリーブ２０の軸方向両端の端面板３０の支持線挿通孔３７に貫通させて引き通した支持線５に吊支して、架空設置される。
【００１７】
ドロップケーブル挿通溝３４は、片方の端面板半体（ここでは、図２中、左側の端面板半体３１）の、合わせ面３１ａとは反対側の側部に上下多段に形成されている。
具体的には、図４（ａ）−（ｃ）、図５（ｂ）に示すように、端面板半体３１の側部には、該端面板半体３１の側面３１ｄ（合わせ面３１ａとは反対側の側面）から窪む凹部である防滴凹部３１ｅと、該防滴凹部３１ｅを介して前記端面板３０の厚み方向両側に突設されたリブ状突壁３９ａ、３９ｂと、前記防滴凹部３１ｅ内に突設された薄板状の遮蔽フィン３１ｈ及び係止片３１ｉ、３１ｊとが形成されている。前記防滴凹部３１ｅを介して両側の前記リブ状突壁３９ａ、３９ｂのそれぞれには、前記ドロップケーブル挿通溝３４の両端として機能するスロット溝３９ａ１、３９ｂ１が形成されている。
【００１８】
なお、ここで例示した端面板半体３１は、リブ状突壁３９ａ、３９ｂ、遮蔽フィン３１ｈ（詳細には、複数の遮蔽フィン３１ｈに分割されている縦フィン３１Ｈ）、係止片３１ｉ、３１ｊを含む全体が、合成樹脂で一体に形成された一体成形品になっている。
リブ状突壁３９ａ、３９ｂ、遮蔽フィン３１ｈ、係止片３１ｉ、３１ｊは、切欠３１ｃが形成されているブロック状の半体ブロック部３１ｑの側部に突設された突片である。
但し、端面板半体３１は、必ずしも、樹脂一体成形品である構成に限定されない。例えば、半体ブロック部３１ｑの側部に、半体ブロック部３１ｑとは別体の遮蔽フィンを取り付けた構成等も採用可能である。
【００１９】
前記端面板半体３１の厚み方向両側のリブ状突壁３９ａ、３９ｂについて、端面板３０（端面板半体３１）の厚み方向両側の端面の内、光クロージャ１０の外面側の端面（以下、外端面とも言う）の側にあるリブ状突壁３９ａを、以下、第１リブ状突壁３９ａ、端面板３０（端面板半体３１）の厚み方向両側の端面の内、光クロージャ１０（詳細には外装ケース４０）の内部空間Ｓに臨む側の端面（以下、内端面とも言う）の側にあるリブ状突壁３９ｂを、以下、第２リブ状突壁３２ｇと言う場合がある。
【００２０】
図７は、光ドロップケーブル２の断面構造の一例を示す。
図７において、光ドロップケーブル２は、光ファイバ２ａ及び該光ファイバ２ａの両脇に配置した抗張力体２ｂを被覆樹脂２ｃ中に埋設して一括被覆した断面矩形状の光ファイバエレメント部２ｄと、この光ファイバエレメント部２ｄの側部に添設された金属線２ｅを前記光ファイバエレメント部２ｄから延長した前記被覆樹脂２ｃによって被覆した支持線部２ｆとを具備している。
光ファイバエレメント部２ｄと支持線部２ｆとの間は、前記被覆樹脂２ｃの薄肉部２ｇを介して繋がっており、薄肉部２ｇを切り裂くように切断することで、支持線部２ｆを光ファイバエレメント部２ｄから分離できる。支持線部２ｆは、本発明に係る支持線として機能する。
光ファイバ２ａは、光ファイバエレメント部２ｄの断面中央部に埋設されており、光ファイバエレメント部２ｄを、前記光ファイバ２ａを介して両側に形成されたノッチ２ｈから、それぞれ抗張力体２ｂを埋設した２つのエレメント半体に分割することで、光ファイバ２ａを露出させることができる。
【００２１】
前記光ファイバ２ａとしては、ここでは、光ファイバ素線であるが、例えば、単心の光ファイバ心線、多心の光ファイバテープ心線などであっても良い。また、被覆樹脂２ｃ中に埋設する光ファイバ２ａの本数は１本（図示例では１本の光ファイバ素線）に限定されず、複数本であっても良い。
抗張力体２ｂは、光ファイバ２ａに沿って縦添えされた線条体であり、その材質は、例えばＦＲＰ等である。
支持線部２ｆの金属線２ｅとしては、例えば鋼線等が用いられる。但し、支持線部２ｆとしては、被覆樹脂２ｃで被覆する芯材として金属線２ｅを採用したものに限定されず、前記芯材としては、例えば、ＦＲＰ製線材等、様々なものを採用できる。
なお、光ドロップケーブル２としては、光ファイバエレメント部から支持線部を分離できるものであれば良く、上述の構成のものに限定されず、周知の各種構成のものを採用できる。
【００２２】
この光ドロップケーブル２は、全体として、断面形状が扁平の細い光ファイバケーブルであり、リブ状突壁３９ａ、３９ｂのスロット溝３９ａ１、３９ｂ１に通すと、スロット溝３９ａ１、３９ｂ１を塞いで、防滴性を確保できる。
スロット溝３９ａ１、３９ｂ１は、光ドロップケーブル２を通したときに、防滴性が確保できるように、光ドロップケーブル２の断面形状に近い、断面矩形に形成された溝である。
【００２３】
図４（ａ）−（ｃ）、図５（ｂ）等に示すように、前記防滴凹部３１ｅは、前記ドロップケーブル挿通溝３４の内、両端のスロット溝３９ａ１、３９ｂ１の間に位置する部分を拡張した挿通溝拡張部として機能する。但し、図示例の端面板半体３１では、前記防滴凹部３１ｅは、上下多段の各ドロップケーブル挿通溝３４の防滴凹部同士が連続して、端面板半体３１の側部に上下方向に延在する１本の溝状に形成されている。
１本のドロップケーブル挿通溝３４の両端のスロット溝３９ａ１、３９ｂ１は、リブ状突壁３９ａ、３９ｂの前記防滴凹部３１ｅを介して対応する位置に形成されており、防滴凹部３１ｅを介して互いに連通されている。
【００２４】
図示例の端面板半体３１において、前記防滴凹部３１ｅ内には、該防滴凹部３１ｅに沿って上下に延びる縦フィン３１Ｈが突設されており、前記縦フィン３１Ｈが、長手方向複数箇所に形成したスリット３１ｈ１によって、複数の前記遮蔽フィン３１ｈに分割されている。
各遮蔽フィン３１ｈは、ドロップケーブル挿通溝３４の両端の前記スロット溝３９ａ１、３９ｂ１間を結ぶ直線を横切るように設けられている。また、各遮蔽フィン３１ｈは、１本のドロップケーブル挿通溝３４の両端として機能する前記スロット溝３９ａ１、３９ｂ１の間に１つづつ設けられている。
各遮蔽フィン３１ｈは、薄い板状の弾性片であり、第１リブ状突壁３９ａのスロット溝３１ａ１から光クロージャ１０の内部空間Ｓに向けて挿入した光ドロップケーブル２によって、押し倒すように弾性変形させることができる。
【００２５】
前記縦フィン３１Ｈは、端面板半体３１の側部にて上下に延在形成された溝状の防滴凹部３１ｅの溝幅方向中央部、換言すれば、防滴凹部３１ｅにおける端面板半体３１の厚み方向の中央部（さらに言えば、ドロップケーブル挿通溝３４の両端のスロット溝３９ａ１、３９ｂ１）に、防滴凹部３１ｅを、クロージャスリーブ２０の軸方向において、クロージャ内側とクロージャ外側とに区分けするように設けられている。
【００２６】
係止片３１ｉ、３１ｊは、防滴凹部３１ｅ内にて、縦フィン３１Ｈを介して、端面板３０（端面板半体３１）の厚み方向両側に、それぞれ設けられている。また、係止片３１ｉ、３１ｊは、１本のドロップケーブル挿通溝３４の両端として機能する前記スロット溝３９ａ１、３９ｂ１の組に対応して、上下多段に設けられている。縦フィン３１Ｈを介して、端面板３０（端面板半体３１）の厚み方向両側に設けられた係止片３１ｉ、３１ｊの組は、縦フィン３１Ｈの上下多段の遮蔽フィン３１ｈに対応して、上下多段になっている。
【００２７】
図３、図４（ａ）−（ｃ）に示すように、前記係止片３１ｉ、３１ｊは、第１、第２リブ状突壁３９ａ、３９ｂの間にて、端面板半体３１の側部に突設された弾性爪である。
図６に示すように、前記係止片３１ｉ、３１ｊは、端面板半体３１の半体ブロック部３１ｑから突出する板状の弾性片３１ｋと、この弾性片３１ｋの端面板半体３１からの突出先端に該弾性片３１ｋの側部に張り出すように突出する突起状の係止突爪３１ｍとを具備している。
【００２８】
端面板半体３１の側部に上下多段に設けられている係止片３１ｉ、３１ｊの弾性片３１ｋは、リブ状突壁３９ａ、３９ｂのスロット溝３９ａ１、３９ｂ１を避けた位置に突設されており、上下に隣り合う係止片３１ｉの弾性片３１ｋ間、並びに、上下に隣り合う係止片３１ｊの弾性片３１ｋ間、に確保された隙間が、リブ状突壁３９ａ、３９ｂのスロット溝３９ａ１、３９ｂ１と連通する溝状になっている。
この係止片３１ｉの弾性片３１ｋ同士間、係止片３１ｊの弾性片３１ｋ同士間に確保された溝状の隙間を、以下、ドロップケーブル用補助溝とも言う。なお、このドロップケーブル用補助溝について、区別のため、係止片３１ｉの弾性片３１ｋ同士間に位置するものに符号３１ｎ、係止片３１ｊの弾性片３１ｋ同士間に位置するものに符号３１ｏを付すこととする。
このドロップケーブル用補助溝３１ｎ、３１ｏも、ドロップケーブル挿通溝３４の一部として機能する。
【００２９】
なお、係止片３１ｉ、３１ｊとしては、板状の弾性片３１ｋの先端に係止突爪３１ｍを具備する構成に限定されず、例えば、円柱状、角柱状の柱状の突起状の弾性片３１ｋの先端に係止突爪３１ｍを具備する構成等も採用可能である。
【００３０】
各係止片３１ｉ、３１ｊの係止突爪３１ｍは、図４（ｂ）、（ｃ）に示すように、弾性片３１ｋからの突出方向が揃えられており（ここでは、下向きに揃えている）、弾性片３１ｋからの突出先端が、下側の係止片３１ｉ，３１ｊの弾性片３１ｋに近接されている。
但し、図４（ｂ）、（ｃ）、図５（ｂ）に示すように、最下段の係止片３１ｉ、３１ｊの係止突爪３１ｍの弾性片３１ｋからの突出先端は、最下段のスロット溝３９ａ１、３９ｂ１の下側（図４（ｂ）、（ｃ）、図５（ｂ）下側）にて、端面板半体３１の半体ブロック部３１ｑから突出された突壁３１ｐに近接されている。突壁３１ｐは、半体ブロック部３１ｑから突出された板状突片であり、最下段の係止片３１ｉ、３１ｊの下側に間隔を空けて突設されている。
最下段の係止片３１ｉ、３１ｊについては、当該係止片３１ｉ、３１ｊの弾性片３１ｋと突壁３１ｐとの間に、最下段のスロット溝３９ａ１、３９ｂ１に連通するドロップケーブル用補助溝３１ｎ、３１ｏとして機能する隙間が確保されており、本明細書では、この隙間についてもドロップケーブル用補助溝３１ｎ、３１ｏとして扱うこととする。
【００３１】
各係止片３１ｉ、３１ｊは、防滴凹部３１ｅ内にドロップケーブル用補助溝３１ｎを形成するとともに、ドロップケーブル用補助溝３１ｎに挿入された光ドロップケーブル２を、係止突爪３１ｍによって、ドロップケーブル用補助溝３１ｎから離脱しないように引き留める脱落防止機能を果たす。
また、係止片３１ｉ、３１ｊは、遮蔽フィン３１ｈを押圧する光ドロップケーブル２を大きく湾曲させず、ほぼ直線状（直線状を含む）の状態を保つようにする機能も果たす。
【００３２】
つまり、端面板３０の外端面側のリブ状突壁３９ａのスロット溝３９ａ１からの押し込みによって、ドロップケーブル挿通溝３４に導入された光ドロップケーブル２は、係止片３１ｉに係るドロップケーブル用補助溝３１ｎを通り、縦フィン３１Ｈの上下多段の遮蔽フィン３１ｈの内、当該光ドロップケーブル２を通したドロップケーブル用補助溝３１ｎに対応する遮蔽フィン３１ｈを押圧して押し倒して、係止片３１ｊに係るドロップケーブル用補助溝３１ｏ、スロット溝３９ｂ１の順に通されて、光クロージャ１０の外装ケース４０の内部空間Ｓに導入されるが、外端面側のリブ状突壁３９ａのスロット溝３９ａ１から押し込んだ光ドロップケーブル２は、その先端が遮蔽フィン３１ｈを押圧する際の押圧力によって曲げ応力を受ける。係止片３１ｉ先端の係止突爪３１ｍは、光ドロップケーブル２が、遮蔽フィン３１ｈを押圧する際の押圧力によって作用する曲げ応力で、ドロップケーブル挿通溝３４（詳細にはドロップケーブル用補助溝３１ｏ）から大きく浮き上がるように湾曲してしまうことを防止する。
これにより、光ドロップケーブル２の座屈を防止できるとともに、外装ケース４０外側からドロップケーブル挿通溝３４への光ドロップケーブル２の押し込み力が、遮蔽フィン３１ｈの押し倒しに効率良く働くようになる。
【００３３】
外装ケース４０を組み立てると、図３に示すように、クロージャスリーブ２０の側板部２３の当接壁２３ａ、２３ａ間に確保された凹所２３ｂと前記防滴凹部３１ｅとによって、クロージャスリーブ２０の側板部２３と端面板半体３１とに囲まれた防滴空間Ｓ１が構成される。
リブ状突壁３９ａ、３９ｂよりも端面板半体３１の外側へ張り出すように突出している縦フィン３１Ｈと係止片３１ｉ、３１ｊとは、端面板半体３１からの突出先端が、クロージャスリーブ２０の側板部２３の当接壁２３ａ、２３ａ間の前記凹所２３ｂに収納される。
【００３４】
但し、図示例の光クロージャ１０では、端面板半体３１を収納する側板部２３の当接壁２３ａ、２３ａ間において、クロージャスリーブ２０の軸方向に互いに離隔した２箇所に突設された突壁２３ｃ１、２３ｃ２によって、凹所２３ｂが、３つの分割凹所２３ｂ１、２３ｂ２、２３ｂ３に分割されている。
そして、中央の分割凹所２３ｂ２に縦フィン３１Ｈ（遮蔽フィン３１ｈ）の先端が収納され、中央の分割凹所２３ｂ２の両側の分割凹所２３ｂ１、２３ｂ３に係止片３１ｉ、３１ｊの先端が収納される。２つの突壁２３ｃ１、２３ｃ２は、縦フィン３１Ｈと該縦フィン３１Ｈの両側の係止片３１ｉ、３１ｊとの間の隙間に差し込むようにして介挿される。
【００３５】
縦フィン３１Ｈは、一対の係止片３１ｉ、３１ｊ間にて、第１リブ状突壁３９ａ側の係止片３１ｉ寄りに設けられており、２つの突壁２３ｃ１、２３ｃ２の内、第１リブ状突壁３９ａ、係止片３１ｉに近い側の突壁２３ｃ１に近接配置される。
このため、端面板半体３１の半体ブロック部３１ｑと突壁２３ｃ１との間の隙間が、縦フィン３１Ｈによって塞がれるようになり、第１リブ状突壁３９ａのスリット溝３９ａ１からの浸水が遮断され、外装ケース４０の内部空間Ｓの防水性（防滴性）が確保される。
【００３６】
縦フィン３１Ｈと突壁２３ｃ２との間には、第１リブ状突壁３９ａ（端面板３０の外端面側のリブ状突壁３９ａ）のスロット溝３９ａ１から挿入された光ドロップケーブル２に押圧されて押し倒された遮蔽フィン３１ｈが突壁２３ｃ２との接触を回避できるクリアランスが確保され、これにより、光ドロップケーブル２による遮蔽フィン３１ｈの押し倒しが可能になっている。
なお、光ドロップケーブル２によって押し倒された遮蔽フィン３１ｈは、自身の弾性によって、光ドロップケーブル２との接触状態を保つため、これにより、光クロージャ１０の防滴性の確保にも寄与する。
【００３７】
図３では、縦フィン３１Ｈ及び係止片３１ｉ、３１ｊの、端面板半体３１からの突出先端が、クロージャスリーブ２０の内面に接触しない構成を例示したが、クロージャスリーブ２０の内面に接触する構成を排除するものでは無い。
また、縦フィン３１Ｈについては、端面板半体３１からの突出先端が、クロージャスリーブ２０内面に接触していれば、防滴空間Ｓ１の、端面板３０の外端面側のスリット溝３９ａ１からの浸水を遮断して、外装ケース４０の内部空間Ｓの防水性（防滴性）を確保する機能の点で好ましい。但し、この場合、縦フィン３１Ｈの端面板半体３１からの突出先端とクロージャスリーブ２０内面との接触は、光ドロップケーブル２による遮蔽フィン３１ｈの押圧によって簡単に解除でき、光ドロップケーブル２による遮蔽フィン３１ｈの押し倒しの支障にならないようにすることは言うまでも無い。
【００３８】
端面板３０を構成する反対側の端面板半体３２については、図３に示すように、クロージャスリーブ２０の側板部２４の内面に突設された当接壁２３ａ、２４ａが当接される、リブ状突壁３９ａ、３９ｂが厚み方向両端に突設されていることは端面板半体３１と同様であるが、リブ状突壁３９ａ、３９ｂにはスロット溝は形成されていない。また、遮蔽フィン、係止片も形成されていない。
但し、本発明においては、端面板半体３１と同様に、スロット溝、遮蔽フィン、係止片を具備する左右一対の端面板半体同士を接合してなる構成の端面板も採用可能である。
【００３９】
図５（ａ）、（ｂ）に示すように、端面板半体３１の外端面側には、端面板３０の主ケーブル導入孔３３を塞ぐための、開閉自在の蓋３５が設けられている。この蓋３５は、該端面板半体３１を構成する成形樹脂を薄肉に形成したヒンジ部３６によって、端面板半体ブロック３１ｑに対して回転自在に設けられ、主ケーブル導入孔３３を開閉できる。
この蓋３５は、例えば、粘着テープ等を利用して主ケーブル導入孔３３を塞いだ状態を維持するようにしても良いが、主ケーブル導入孔３３を塞いだ状態を維持するための構成としては、例えば、主ケーブル導入孔３３の開口部への離脱可能な嵌め込み、係合爪による係脱可能な係合、等も採用できる。
この実施形態では、蓋３５及びヒンジ部３６も一体成形された合成樹脂製の端面板半体３１を例示しているが、本発明はこれに限定されず、蓋３５及びヒンジ部３６の内の少なくとも蓋３５が、端面板半体３１とは別体になっている構成も採用可能である。
【００４０】
この光クロージャ１０にあっては、光ドロップケーブル２の導入作業（導入方法）は、既述のように、端面板３０の外端面側からスリット溝３９ａ１への光ドロップケーブル２の押し込みによって実現されるが、この押し込み作業を、クロージャスリーブ２０の取り外しによって端面板半体３１の側部を露出させた状態で行う場合は、端面板半体３１の側部のドロップケーブル挿通溝３４に手指や工具を挿入できるため、ドロップケーブル挿通溝３４の途中での光ドロップケーブル２の引っ掛かりを解消するといったことも容易に行える。このため、ドロップケーブル挿通溝３４に光ドロップケーブル２を挿通する作業を、効率良く、確実に実現できる。
【００４１】
また、この光クロージャ１０によれば、弾性爪である係止片３１ｉ、３１ｊを弾性変形させることで、端面板半体３１の側部のドロップケーブル挿通溝３４に対する光ドロップケーブル２の出し入れが可能である。
このため、端面板半体３１の側部からクロージャスリーブ２０を離脱してドロップケーブル挿通溝３４を開放した状態において、上下多段のドロップケーブル挿通溝３４に対する光ドロップケーブル２の取り出し、入れ替え等の作業を効率良く行える、といった利点がある。
【００４２】
図４（ｃ）、図５（ｂ）、図６に示すように、係止片３１ｉ、３１ｊの係止突爪３１ｍは、端面板半体３１の半体ブロック部３１ｑに臨む側面（係止面３１ｍ１）が、弾性片３１ｋの側面から垂直に立ち上がる垂直面、あるいは、弾性片３１ｋの側面から半体ブロック部３１ｑの側へ斜めに立ち上がる傾斜面になっているが（図示例では垂直面）、この係止面３１ｍ１とは反対の側は、弾性片３１ｋの端面板半体３１からの突出先端から突出基端側に行くに従って、弾性片３１ｋの側面からの突出量が次第に増大するテーパ状に形成されている。このため、光ドロップケーブル２を端面板半体３１の側方からドロップケーブル挿通溝３４に押し込む作業を、弾性片３１ｋの突出先端から係止突爪３１ｍの弾性片３１ｋからの突出先端までのテーパ部分が形成する傾斜面３１ｍ２に沿った押し込みによって、係止片３１ｉ、３１ｊを弾性変形させながら、円滑に行える。
【００４３】
端面板半体３１の外端面側のリブ状突壁３９ａのスロット溝３９ａ１は、外装ケース４０全体、光クロージャ１０全体を組み立てたときには、クロージャスリーブ２０と端面板半体３１との間に確保された小孔になる。
光ドロップケーブル２を挿通していない空きのドロップケーブル挿通溝３４は、遮蔽フィン３１ｈによって浸水が防止され、防水性（ここでは防滴性）が確保される。
光ドロップケーブル２を挿通済みのドロップケーブル挿通溝３４は、端面板半体３１の外端面側のリブ状突壁３９ａのスロット溝３９ａ１が光ドロップケーブル２自体によって塞がれるため、防水性（防滴性）が確保される。また、光ドロップケーブル２によって押し倒された遮蔽フィン３１ｈが光ドロップケーブル２に接触した状態を保つことも、防水性（防滴性）の向上に寄与する。
【００４４】
端面板半体３１の外端面側のリブ状突壁３９ａの空きのスロット溝３９ａ１からドロップケーブル挿通溝３４に進入した水は、防滴空間Ｓ１に到達したところで、防滴空間Ｓ１内を下降して、上下多段のスロット溝３９ａ１、３９ｂ１の最下段の下側に確保された水受け空間３８に流れ落ちる。
このため、各ドロップケーブル挿通溝３４では、雨水等の水の滞留が防止され、例えば、空きのドロップケーブル挿通溝３４への光ドロップケーブル２の挿通時に、ドロップケーブル挿通溝３４内に滞留していた水が、光ドロップケーブル２とともに、外装ケース４０の内部空間Ｓに入り込むといった不都合も防止できる。
【００４５】
なお、本発明は、上述の実施形態に限定されず、適宜、変更が可能である。
本発明の適用対象の光クロージャとしては、上述の実施形態のように、断面矩形の筒状に組み立てられるクロージャスリーブと、このクロージャスリーブの両端に設けられた端面板とで構成される外装ケース内に、光ファイバケーブルの光ファイバと光ドロップケーブルの光ファイバとを接続した接続部を収納する構成の光クロージャに限定されず、例えば、軸方向一端側に有底部、他端側に開口部を具備する有底筒状に組み立てられる半割り構造のクロージャスリーブと、このクロージャスリーブの開口部に設けられる端面板とで構成される外装ケースを具備する構成の、いわゆるポット形の光クロージャにも適用可能である。
クロージャスリーブとしては、上述の実施形態に例示した樹脂一体成形品に限定されず、例えば、互いに別体の２つのスリーブ半体からなる、半割り構造のものであっても良い。
また、外装ケースとしては、断面矩形のものに限定されず、例えば、断面円形のクロージャスリーブと、円板状の端面板とで構成されるもの等であっても良い。
【図面の簡単な説明】
【００４６】
【図１】本発明の１実施形態の光クロージャの内部構造を示す正面図である。
【図２】図１の光クロージャを軸方向両端の端面板の片方の側から見た側面図である。
【図３】図１の光クロージャを軸方向端部付近の平断面図である。
【図４】図２の二つ割り構造の端面板の片方の端面板半体の構造を示す図であって、（ａ）は平面図、（ｂ）は側面図、（ｃ）は正面図である。
【図５】（ａ）、（ｂ）は、図４（ａ）−（ｃ）の端面板半体の構造を示す斜視図である。
【図６】図４（ａ）−（ｃ）の端面板半体のドロップケーブル挿通溝付近を示す拡大斜視図である。
【図７】光ドロップケーブルの断面構造の一例を示す断面図である。
【符号の説明】
【００４７】
１…光ファイバケーブル、１ａ…光ファイバ、２…光ドロップケーブル、２ａ…光ファイバ、３…接続部、１０…光クロージャ、３０…端面板、３１、３２…端面板半体、３１ａ、３２ａ…合わせ面、３１ｄ…側面、３１ｅ…防滴凹部、３９ａ、３９ｂ…リブ状突壁、３９ａ１、３９ｂ１…スロット溝、３１Ｈ…縦フィン（遮蔽フィン）、３１ｈ…遮蔽フィン、３１ｉ、３１ｊ…係止片、３３…主ケーブル導入孔、３４…ドロップケーブル挿通孔、３５…蓋。
【図１】
2008026388.tif 000003
【図２】
2008026388.tif 000004
【図３】
2008026388.tif 000005
【図４】
2008026388.tif 000006
【図５】
2008026388.tif 000007
【図６】
2008026388.tif 000008
【図７】
2008026388.tif 000009